(57)【要約】      （修正有）【課題】  ロール運搬の良好な保護と運搬分与箱の容易な交換性と、更に運搬分与箱と保持装置との間の結合部が簡単な形式に製造でき、ロールの重力の確実な支持が保証され得る運搬分与箱と保持装置を提供する。【解決手段】  案内軸は運搬分与箱（１）の破断部を通しロールのスリーブを貫通差し込まれ、ロールを支持する。運搬分与箱（１）は保持装置（３６）に支持されている。保持装置（３６）は平行な側面脚（４０）を有し、側面脚に案内スリット（４１）が設けられ、垂線に対して傾斜されている。案内軸は案内スリット（４１）に導入され、取出し状態において案内スリット（４１）に沿って滑動される。消耗品（１２）の取出しの際ロールの支持は案内軸によって行われ、運搬分与箱（１）の機械的応力は必要な支持によって減少される。【選択図】図９
2005289648.tif 000002
【特許請求の範囲】
【請求項１】
ミシン目を介してつながっている個々の消耗品のロール（２１）に巻かれたテープ（１１）が保護収納されて端面壁（７、８）と載置面（４７）を有する厚紙或いは段ボール紙製の運搬分与箱（１）を備え且つ引渡位置に移送分与箱（１）を付着する保持装置（３６）を備える、自動車修理工場にて使用するために利用者に柔軟消耗品（１２）を運搬、収納、取出しする装置において、保持装置（３６）は一方で各ロール（２１）のために案内軸（３２）を有し、他方で案内軸（３２）を受容するために少なくとも領域毎に垂線に対して鋭角な案内軌道（４２）を備えて、案内軸（３２）に対しておよそ直角に延びる両側の側面脚（４０）を有し、運搬分与箱（１）は運搬分与箱（１）の端面壁（７、８）を通して且つローラ（２１）を通して案内軸（３２）を差し込むために端面壁（７、８）の領域において中心に且つ互いに一直線に並んで配置された破断部（３０）、目印（３１）、材料弱部、切込み、ミシン目、或いは折り目を有するので、運搬分与箱（１）が載置面（４７）により取出し位置にねじれなく保持され、ロールが載置面（４７）と案内軸（３２）に支持されていることを特徴とする装置。
【請求項２】
運搬分与箱は請求項３乃至７のいずれか一項に記載に一致して形成されていること及び／又は保持装置は請求項８乃至１３のいずれか一項に記載に一致して形成されていることを特徴とする請求項１に記載の装置。
【請求項３】
ミシン目を介してつながっている個々の消耗品（１２）のロール（２１）に巻かれたテープ（１１）が保護収納されて端面壁（７、８）と載置面（４７）を有する厚紙或いは段ボール紙製の運搬分与箱において、運搬分与箱（１）は運搬分与箱（１）の端面壁（７、８）を通して且つロール（２１）を通して案内軸（３２）を差し込むために端面壁（７、８）の領域において中心に且つ互いに一直線に並んで配置された破断部（３０）、目印（３１）、材料弱部、切込み、ミシン目、或いは折り目を有することを特徴とする運搬分与箱。
【請求項４】
端面壁（７、８）は運搬位置において少なくとも広範に閉鎖され、取出し位置において破断部（３０）を形成する材料弱部、切込み、ミシン目、折り目或いは目印（３１）を有することを特徴とする請求項３に記載の運搬分与箱。
【請求項５】
運搬分与箱において端面壁（７、８）の領域にて受け面（１８）が設けられ、それに対してロール（２１）が回転可能に支承されていることを特徴とする請求項３或いは請求項４に記載の運搬分与箱。
【請求項６】
破断部（３０）は受け面（１８）から成るみぞに連通し、破断部はみぞとテープ（１１）がロール（２１）に巻かれるスリーブ（２２）の内面と一緒に長手方向においてロール（２１）によって貫通する案内軸（３２）用収納空間（４８）を形成し、この場合に収納空間（４８）から運搬分与箱（１）のロール（２１）を収納する内部空間までの移行横断面は単に受け面（１８）とスリーブ（２２）の間に形成されていることを特徴とする請求項５に記載の運搬分与箱。
【請求項７】
載置面（４７）と破断部（３０）の周辺領域との間並びに載置面（４７）と力導入箇所との間の材料領域が消耗品（１２）の減少の際に頑強に形成されていることを特徴とする請求項３乃至６のいずれか一項に記載の運搬分与箱。
【請求項８】
特に空間壁に取り付けできる少なくとも一つの脚をもつ乗用車工場にて使用するために利用者に運搬分与箱（１）を収納し且つロール（２１）に巻かれるテープ（１１）としての柔軟消耗品（１２）を取り出す保持装置において、保持装置（３１）は一方では各ロール（２１）のために案内軸（３２）を有し、他方で案内軸（３２）を収納するために少なくとも領域毎に垂線に対して鋭角な案内軌道（４２）を備えて、案内軸（３２）に対しておよそ直角に延びる両側の側面脚（４０）を有することを特徴とする保持装置。
【請求項９】
運搬分与箱（１）用の載置面（４６）が設けられ、側面脚（４０）に対して垂直に配向されていることを特徴とする請求項８に記載の保持装置。
【請求項１０】
各側面脚（４０）は異なる引出し位置における一つ或いは複数の運搬分与箱（１）の支持を可能とする複数の案内軌道（４２）を有することを特徴とする請求項８或いは請求項９に記載の保持装置。
【請求項１１】
保持装置（３６）の側面脚（４０）においてそれぞれ少なくとも一つの案内スリット（４１）が設けられ、案内軌道（４２）を形成して、その軌道内に案内軸（３２）が滑り案内されていることを特徴とする請求項８乃至１０のいずれか一項に記載の保持装置。
【請求項１２】
二つの横断面Ｌ字状アングル板（３７、３８）が設けられ、そのアングル板にてそれぞれ一つの脚が空間壁に固定され、他の脚が側面脚（４０）を形成することを特徴とする請求項８乃至１１のいずれか一項に記載の保持装置。
【請求項１３】
Ｕ字状アングル板をもつ保持装置が形成されていて、Ｕ字の中央脚（４５）は保持装置（３６）の載置面（４６）を形成し、Ｕ字の側面脚（４０）が案内軌道（４２）を形成することを特徴とする請求項８乃至１１のいずれか一項に記載の保持装置。
【発明の詳細な説明】
【技術分野】
【０００１】
この発明は、自動車修理工場にて使用するために利用者に柔軟消耗品を運搬、収納、取出しする装置に関する。さらに、この発明は、前記装置に使用できる保持装置並びに運搬分与箱に関する。
【背景技術】
【０００２】
自動車修理工場において消耗品が貯蔵されて、個々に例えば機械工のような利用者に取出される。消耗品において特に合成樹脂箔から成る物品が重要である、自動車製造或いは自動車修理工場において、例えば座席カバー、ハンドルカバー、足マット、ゴミ袋、補充交換部品袋、ドア内部パッキング箔、タイヤ袋などの自動車部品が汚染に対する保護部品として用いられる。同様に、消耗品が紙或いは厚紙或いはテッシュから製造され、清掃のために使用できる。より多くの数の消耗品は分解可能な結合部を介して一つのテープに互いに結合できる、ミシン目を介してテープに形成される。通常には、テープはスリーブ上にロールに巻き取られ運搬分与箱に貯蔵される。自動車修理工場において運搬分与箱が一定箇所に配置されている場合には、例えば空間壁に固定されている保持装置が設けられており、その保持装置によって運搬分与箱が取出し位置に保持されている。
【０００３】
取出し位置においてもロールが運搬分与箱によって保護されて、運搬分与箱が保持装置によって空間壁に対して保持されるこの種の発明は、出願人の特許文献１から公知である。この場合に、保持装置は空間壁により水平に保持装置から現れる二つの水平に間隔を置いたフックを有する。運搬分与箱において裏面壁に破断部が設けられ、その破断部の間隔はフックの間隔と一致する。保持装置と運搬分与箱との間の結合部の製造のために、保持装置のフックは運搬分与箱の破断部に入って、内部に運搬分与箱の裏面壁を包囲する。消耗品の運搬分与箱並びにロールの重力はフック上に支持されている。しかし、フック上の単独の支持において、フックを通して延びる軸線を中心とする運搬分与箱の旋回が可能である。それ故に、補助的に運搬分与箱の裏面壁は同様に裏面壁により形成された載置面により保持装置の載置面に隣接する。それで、載置面は保持装置の載置面の整合や消耗品の減少に伴う運搬分与箱のねじれに反作用する力伝達に役立つ。
【０００４】
特許文献２から、スーパーマーケット用のプラスチック袋としてロールに巻き取られるテープを収納し取出しする保持装置が公知であり、ロールの心は巻き取られたテープから横に外へ突き出し、垂線に対して鋭角な案内軌道に保持装置の側面脚により供給される。ロールは一枚の板の周面に当接し、それによって板とロールの間の摩擦力の結果、ロールの自由運動が損なわれている。
【特許文献１】ドイツ特許出願公開第１０１５５３４３号明細書
【特許文献２】英国特許第２３７２７３６号明細書
【特許文献３】ドイツ実用新案第８９０２６４１号明細書
【特許文献４】ドイツ特許出願公開第３３３１１７１号明細書
【特許文献５】ドイツ特許出願公開第１０２３３６０２号明細書
【特許文献６】米国特許出願公開第３３０２７６１号明細書
【特許文献７】ドイツ特許出願公開第１０１１９８２１号明細書
【特許文献８】米国特許出願公開第３５６５３０７号明細書
【特許文献９】米国特許出願公開第５９７１１５０号明細書
【発明の開示】
【発明が解決しようとする課題】
【０００５】
この発明の課題は、ロール運搬の良好な保護と運搬分与箱の容易な交換性をもって適正価格で製造でき、更に運搬分与箱と保持装置との間の結合部が簡単な形式に製造でき、この場合にロールの重力の確実な支持が保証され得る運搬分与箱と保持装置とを備える装置、運搬分与箱及び／又は保持装置を提供することである。
【課題を解決するための手段】
【０００６】
この発明の課題は、独立した特許請求項１の特徴事項を備える装置によって解決される。この発明の基礎になっている課題の他の解決策は、独立した特許請求項３の特徴事項を備える運搬分与箱を意味する。さらに、特許請求項８の特徴事項を備える保持装置はこの発明の課題を解決する。
【０００７】
この発明によると、保持装置はロール用の案内軸を有する。補助的に保持装置は両側に案内軸に対しておよそ直角に延びている側面脚を有する。側面脚は少なくとも部分的に垂線に対して鋭角に配向され、案内軸を収納する案内軌道を所持する。運搬分与箱はその端面壁の領域において中心に且つ互いに一直線に並んで配置された破断部、目印或いは同様な構成を有し、それら構成によって案内軸が運搬分与箱の端面壁を通して且つロールを通して貫通され得る。ロールの重力用の支持力は載置面と案内軸により伝達される。取出し位置においてこの形式で運搬分与箱はねじれなく保持されている。
【０００８】
この発明は、運搬分与箱を備える前記印刷物（特許文献１）に一致して保持装置に支持されることができるロールの最高重量が運搬分与箱を形成する厚紙の機械的特性により決定される知識に基づいている、と言うのは特許文献１から知られた実施態様のために、運搬分与箱の裏面壁がロールの全重量を支持しなければならないからである。ロールの重量は１５ｋｇ以上である。
【発明の効果】
【０００９】
この発明によると、ロールの重力の支持は専ら背面壁により行われることなく、むしろロールの内部でこのロール或いはロールに配置されたスリーブに当接する案内軸により行われる。同様に、ロールと案内軸の間に受け面が中間接続されていることは選択的に可能であるので、ロールが直接に案内軸に支持されている。
【００１０】
重力は案内軌道に対して横切って配向されている第一支持成分並びに案内軌道の方向に配向され且つそれで（間接に）載置面に支持される第二支持成分に分割される。運搬分与箱は保持装置における運搬分与箱の載置面の領域のみにて重力より小さい第二支持成分を受けている。運搬分与箱内に貯蔵するロールの最高重量のために、運搬分与箱に作用する第二支持成分が基準である。この第二支持成分対重力と第一支持成分の比は構造的に案内軌道のアングルの適合によって付与されることができる；案内軌道は保持装置の載置面に垂直に、或いは水平に配向されているので、第二支持成分は最小であり、零に等しいので、運搬分与箱の重量が完全に案内軌道に支持される。垂線の方向における案内軌道のねじれによって、第二支持成分が上昇するので、保持装置の載置面における運搬分与箱の適合力が増大する。垂線に対する案内軌道のアングルに応じて、摩擦力を考慮しても、運搬分与箱に作用する支持力は重力の結果、有利な条件によって適合されることができる。
【００１１】
適切な形式において、利用者により消耗品の減少によってロールから伝達される減少力は案内軌道の第一支持成分と載置面の第二支持成分に分割されることが出来る。この場合に、案内軌道は（およそ）消耗品の減少方向を横切って配向されているので、減少力は（実質的に）案内軌道から受けることができる。消耗品の減少による運搬分与箱の長手方向軸線を中心とする可能なモーメントは運搬分与箱の載置面において力分布の変化をまねくので、運搬分与箱の望まれないねじれに反作用する逆モーメントが発生される。
【００１２】
この発明による装置のために、運搬分与箱の特に簡単な組立てと交換性が明らかになり：まず最初に案内軸が運搬分与箱を通して且つ破断部を通して貫通される。引き続いて、案内軸が案内軌道に挿入されるか、或いはこの案内軌道に載置される。案内軌道は垂線との鋭角を形成するので、運搬分与箱は重力によって移動し、場合によっては利用者により伝達される力によって案内軌道に沿って補強され、保持装置或いは周辺の設置面に当接する運搬分与箱の設置面により所望の取出し位置に到る。それで、別の調整工程並びに安全処置或いは固定手段なしに、運搬分与箱が取出し位置に存在する。
【００１３】
更に、この発明によると、同一の保持装置において構造的適合の必要性なしに異なる長さと横断面の運搬分与箱を配置することが可能である。運搬分与箱の横断面の変化によって案内軸の運搬分与箱の設置面の間隔の縮小或いは拡大のために、組立てにおいて案内軸は取出し位置に到達されるまで案内軌道に沿って単により広い或いはより狭い幅を移動する。    
【００１４】
運搬分与箱は、多機能的に形成されている：一面ではこれは運搬保護手段として例えば配達中に用いられる。この場合に消耗品の汚染及び／又は損傷に対する保護が行われる。さらに、運搬分与箱は平らな壁を所持するので、これはさらに良好な積み重ね性を可能とする。さらに、運搬分与箱は取出し位置における損傷及び／又は汚染に対しても消耗品を保護する。さらに、運搬分与箱は取出し位置において光学応答構成を有し、その構成は消耗品としてのロールをカバーする、或いは消耗品用、保持装置における運搬分与箱の組立て用、運搬分与箱の取扱い用、消耗品の取出し用及び／又は消耗品のごみ処理用の広告或いは情報の担体として用いられる。
【００１５】
この発明の装置の部材は適切価格に製造できる。運搬分与箱は厚紙、段ボール紙などによって形成される。この種の材料は比較的僅かな重量を所持し、有効に製造でき且つ加工できる。特に、運搬分与箱は厚紙、段ボール紙などから折畳まれた或いは組立られた裁断片によって製造される。さらに、前記半製品から製造された運搬分与箱は簡単な方法で且つ環境調和的にごみ処理されることができる。保持装置は鉄製の案内軸或いは側面脚用の合成樹脂並びにブリキのような通常の適切な価格の半製品によって形成されることができる。
【００１６】
運搬分与箱の支持はロールと無関係に設置面によって行われる、並びに案内軸或いは載置部に対する分与箱の適合した支持が行われることができる。
【００１７】
印刷物（特許文献１）から知られた実施態様のこの発明の更なる開発の他に、この発明は印刷物（特許文献３と特許文献４）から知られた装置の更なる開発を意味する。これら印刷物には、ロールが案内軸上の消耗品を架台に支承され、案内軸が所定目標位置を架台に採用するか、或いは固定的にこの架台と結合されている実施態様を採用している。この先行技術に対応するロールは、運搬物品の運搬中も取出し中も保護されることがなく、それによって汚染並びに損傷の危険にさらされる。
【００１８】
運搬分与箱の前壁は特に運搬状態において少なくとも広範に閉鎖され、取出し状態において破断部を形成する材料弱部、切込み、ミシン目、折り目或いは目印を有する。取出し状態は運搬状態から材料弱部、切込み、ミシン目、折り目或いは目印への機械的作用によって或いは案内軸によって引き起こされることができる。運搬中に前壁が少なくとも広範に閉鎖されることによって、破断部の存在において運搬中に生じた汚染や機械的損傷が回避されることができる。しかし、最初に直接に自動車修理工場において、直ぐに再び案内軸の導入によって少なくとも部分的に閉鎖される破断部が形成される。これによって運搬分与箱の保護機能の弱部は側面の領域にて最小に制限されている。
【００１９】
その他のこの発明の構成において、前壁の領域にてロールが回転可能に支承されている受け面が設けられている。この形式では、この発明の利点は、例えば出願人の特許文献５に対応する、或いは特許文献６、特許文献７、特許文献８と特許文献９からなるこの種の受け面を備える公知の実施態様の利点と結合されることができる。ガイドによってロールの正確な整合並びに運搬分与箱とロールの壁の間の摩擦力の回避或いは減少が生じる。
【００２０】
この発明の別の提案によると、破断部は受け面から成るみぞに連通する。この破断部はみぞとテープがロールに巻かれているスリーブの内面とにより一緒に、長手方向においてロールによって貫通する案内軸用収納空間を形成する。収納空間から運搬分与箱のロールを受ける内部空間までの移行横断面は単に受け面とスリーブの間に形成されている。これによって汚染に対するロールの保護がさらに改良され得る：消耗品の適した取出し開口（と場合によっては別の必要な破断部）の傍に、運搬分与箱は、広範に案内軸により閉鎖されている前壁の領域における破断部を有する。破断部と案内軸の間の中間空間を通して運搬分与箱に流入する汚染粒子は収納空間においてロールから分離され、ロールへの移行は受け面とスリーブの間の隙間を通してのみ可能である。それ故に、この発明によると、一つの複数室システムが使用される。
【００２１】
この発明の別の構成によると、材料領域が設置面と破断部の包囲領域との間に並びに運搬分与箱の設置面と消耗品の除去の際の力導入箇所との間に頑強に形成されていることが考慮されている。これがそうでないならば、所定応力によって運搬分与箱の望ましからぬ変形を生じる。設置面が運搬分与箱の別の構成部材或いは支持箇所に頑強に支持されていないときには、例えば、保持装置に対して運搬分与箱の確実なねじれ防止は保証されない。矩形横断面をもつ運搬分与箱のために、これは、例えば設置面に隣接して配置された隅領域が引張力の伝達の際に装置の利用者によって平坦にされていないことを意味する。
【００２２】
この発明の装置の再現に一致して、保持装置の各側面脚は異なる取出し位置における一つ或いは複数の運搬分与箱の支持を可能とする複数の案内軌道を有する。この形式では運搬分与箱は例えば異なる高さで配置されることができる。これは異なる本体大きさの利用者に、或いは異なる取付け条件に好ましいことである。選択的に或いは補助的に同じ保持装置における複数の運搬分与箱の配置が可能である。複数の運搬分与箱の際に、それぞれ同じ運搬分与箱が重要であるので、別の運搬分与箱の際に、補償目的の対する運搬分与箱が重要である。一様に複数の利用者による消耗品の同時取出しが可能とされることができる。同様に異なる運搬分与箱の配置は可能であるので、この発明の装置によって異なる消耗品及び／又はこの消耗品の異なる大きさが準備されることができる。
【００２３】
好ましくは、保持装置において二つの横断面Ｌ字状アングル板が設けられている。アングル板の一方の脚は、それぞれに空間壁に（或いは装置対象に）固定されていて、他方の脚は案内軌道を保持する側面脚を形成する。二つのアングル板の間隔は収納する運搬分与箱の幅だけ、特に案内軌道に沿う簡単な運動を保証する僅かな寸法として関連している。同様に選択的に保持装置がＵ字状アングル板を備えて形成されていて、Ｕ字の中央脚が保持装置の設置面を形成し、Ｕ字の側面脚が側面脚を保持することが可能である。前記アングル板は特に手頃な値段の半製品として適用すべきである。
【００２４】
好ましい実施態様は従属請求項、詳細な説明と図面から明らかになる。
【発明を実施するための最良の形態】
【００２５】
次に、この発明は、図面に図示された好ましい実施例に基づいてさらに説明され記載される。
【実施例１】
【００２６】
図１は厚紙、段ボール紙などから成る関連した裁断片２から成る運搬分与箱１を示す。運搬分与箱１は下床壁３、上床壁４、前面壁５、裏面壁６と二つの端面壁７と８を有する。縦前面壁５の上半部において取り外し可能なミシン目の帯９は裁断されて、その取り外し後に図２に図示されるように、縁を閉じたスリット１０を形成する。
【００２７】
図２に図示された使用状態において、ミシン目を介して互いに密着している複数の消耗品１２から成るテープ１１の端部が認識できる。この消耗品１２の場合に、例えば、合成樹脂箔から成る座席カバーが重要であり、その座席カバーは一般に公知であるように修理サービス作業において座席の汚染を回避するために自動車のクッション座席の上に取り付けできる。テープ１１は、引出し方向を横切ってテープ１１のたたみに応じておよそ６０ｃｍと１ｍの間の値である或る幅を有する。  
【００２８】
図３は平面におけるこの様式の一部分の展開に基づく図１と図２による運搬分与箱１の裁断片２の構成を説明する。下床壁３には折り目を介して両壁５と６が連接されていることが認識できる。これら壁５と６は組立てた状態で裁断片２の対応する要素と結合される横結合フラップ１３と１４を有する。裏面壁６には別の折り目を介して上床壁４が連接されていて、その上床壁はさらに折り目によって旋回可能に連接された閉鎖フラップ１５を備えている。  
【００２９】
壁３、４、５と６が同じ高さを有するので、運搬分与箱１の裁断片２の横断面は組立てた状態で正方形に形成されていることが認識できる。下床壁３には折り目を介して両側に端面壁７と８が連接されている。各端面壁７と８には別の折り目を介して受け面１８を形成する断面１７を支持する支持壁１６が連接されている。その外に、支持壁１６は外方に一つの突起１９を有する。それに付属して、下床壁３は打抜き部２０を有し、その打ち抜き部には組立てた状態で突起１９が引き掛けられているので、端面壁７と支持壁１６は平行状態に端面にて運搬分与箱１に固定されている。
【００３０】
図４は中心に破断部２３を支持する例えば正方形の簡単な或いは二重の段ボール紙としての形態に個々の板状支持壁２４を示すので、その支持壁２４はスリーブ２２の端部上にロール２１に取り付ける際に押し開かれ、そのように形成されたユニットは組立てた運搬分与箱１内に収納されることができる。支持壁２４との結合において端面壁７と８は既に記載された中心合せ作用が意図されるときには破断部２３を有しないことが理解される。そのような中心合せは、特に、柔軟な消耗品が巻き付けの際に異なる巻き直径に形成されるときに利点である。特に小さい巻き直径が生じるときには、巻かれたテープ１１をもつスリーブ２２が運搬分与箱１内で破断部２３の位置と一直線となっていないので、案内軸３２の差し込みが妨害され得る。無論、スリーブ２２の各支持体の幅を横受け面１８にて拡大するために、端面壁７と８には補助的破断部２３を付属することが可能である。組立てた裁断片２で固定されることができるそのような別々の支持壁２４の使用は、挿入された支持壁２４によってどっちみち補助的補強部が達成されるから、裁断片２では二重波形の段ボール紙の挿入を断念されることができ、単波形の段ボール紙が整合されると言う利点をもたらす。支持壁は、図３から明らかであるように、一つの形状の一つの裁断片を有することができる。
【００３１】
端面壁７と８はそれぞれ中心に且つ互いに一直線となって配置された破断部３０を所持する。破断部３０の代わりに、目印３１も設けられ得る。別の態様が専門家に提供され、材料弱部、切込み、ミシン目或いは折り目から成り、その箇所には使用者により端面壁７と８における破断部３０が形成されることが出来る。端面壁７並びに支持壁１６或いは支持壁２４による二重壁のために、外部に位置する壁における破断部３０或いは目印３１が設けられている。
【００３２】
図５と図７に基づいて、運搬分与箱１の内部にロール２１としてスリーブ２２上に巻かれたテープ１１が収納されることが認識できる。図７は、スリーブ２２がテープ１１やロール２１より大きな幅を有するので、スリーブ２２は両側でロール２１に比べて越えて突き出て、ロール２１の自由掛け渡しがスリーブ２２により両側の受け面１８において可能である。ロール２１は、それらが受け面１８に自由回転可能に掛け渡されるように図５と図７に図示されている。ロール２１は少なくともテープ１１の若干の消耗品１２の取出し後に全く床壁３と４や壁５と６の内面と接触していない。端面壁７と８は支持壁１６と結合して中心合せ作用もスリーブ２２に影響を及ぼされるので、同時に支持壁１６に関してテープ１１又はロール２１との摩擦接触が阻止されることが確保される。これは、ロール２１がテープ１１の前端の引出しの際に縁閉鎖されたスリット１０を通して極めて容易に回転されることを生じる。図２と図５は、運搬分与箱１内の引出しが保証されるような保管のロール２１を示す。その関係において、ミシン目帯９と縁閉鎖スリット１０は前面壁５の上半部の中心領域に配置されている。図５はテープ１１が上正接に引出されるので、テープ１１のスリット１０の外方に案内された端がおよそ９０°だけ転向されることを認識できる。テープ１１はテープが外部に比較的滑らかな表面を、内部に比較的粗い表面を有するように形成されるときに、粗い表面はスリット１０の下辺上への載置によってテープ１１から消耗品１２の取出しの際の個々のミシン目の分離の際において十分に利用される。
【００３３】
受け面１８におけるスリーブ２２の記載された自由掛け渡し或いは自由回転性は、既に若干の僅かな消耗品１２がテープ１１から分離されるときのみに達成されることがない。完全なロール２１がその運搬分与箱１内に貯蔵されて、運搬中に取り扱われるときには、既に同じ場合である。しかし、ロール２１がまず最初に箱の内壁との弾性接触を有するように、ロール２１の直径と運搬分与箱１の正方形横断面空間との間の寸法を選定することは全く傷害にならなく、この場合に若干の僅かな消耗品１２が取出されるとすぐに、この接触が失われる、それによってロール２１が直径が減少する。そのようなロール２１は消耗品の壁厚或いは偶然に生じた長手方向折り目に応じて互い掛け渡しの切断可能なミシン目上の５００以上までの消耗品を有することができるので、ロール２１の自由回転可能な保管が少なくとも若干の僅かな消耗品１２の取出し後に達成されることが認識できる。
【００３４】
図６は図５と比較して相対位置を説明し、ロール２１が逆に運搬分与箱１内に保管され、下引出しを備える。ここで、スリット１０は、スリット１０の貫通の際におよそ９０°だけテープ１１の転向と結合した正接引出しを保証するために、前面壁５の高さの半分の下領域に配置されている。
【００３５】
受け面１８の構成は、図３に示されるように、分離した支持壁１６によってのみ達成されることがない。
【００３６】
図７によると、案内軸３２は運搬分与箱１の破断部３０を通して且つスリーブ２２を通して貫通案内されるので、案内要素３３を形成する案内軸３２の端領域が運搬分与箱１から外方へ突き出す。案内軸３２とスリーブ２２の内直径との間に遊びが設けられるので、案内軸３２は運搬分与箱１に掛け渡す場合に容易に導入できる。破断部３０の代わりに、目印３１、ミシン目或いは折り目が設けられる場合には、これはより良い運搬保護を与えるけれども、破断部３０の創作のために端面壁７と８の突出しが必要である。
【００３７】
図８に図示された実施例によって、運搬分与箱１は、それぞれ合成樹脂製の型部材３４により形成される受け面１８ａを有し、その型部材３４は端面壁７と８に対して隣接して配置され、場合によっては固定される。各型部材３４は中空円筒状の内方に配向された突起３５を有する。この突起３５はスリーブ２２の内部に延びていてロール２１を支持する。掛け渡された状態において突起３５は案内軸３２により支持されている。
【００３８】
図８と図９には、保持装置３６の第一実施態様が図示されている。これは一つの基礎脚３９と一つの側面脚４０を備える二つのアングル板３７、３８を有する。アングル板３７、３８はＬ字状横断面を有し、この場合にアングル板は基礎脚３９の領域における垂直と平行の配向にておよそ垂直壁によってねじ止めし、平行側面脚４０の間に運搬分与箱１を収容する。側面脚４０には、基礎脚３９の反対を向いた面と同じ高さで一つづつの案内スリット４１が取り付けられ、その案内スリットは側面脚４０の平面において垂線と鋭角αを形成する（平面ｙ−ｚ、図９）。角αは好ましくは３０°と６０°の間に、特に４０°と５０°の間にある。案内スリット４１の下制限部は案内軸３２用の案内軌道４２を形成する。
【００３９】
運搬分与箱１を保持装置３６に掛け渡すために、案内軸３２の案内要素３３はアングル板３７、３８の案内スリット４１に導入されて、案内軌道４２に沿って斜め下方へ移動する。運搬分与箱１と反対を向いた面では、案内軸３２はストッパ４３を有し、そのストッパは軸線ｘの方向に運搬分与箱１或いは案内軸３２の移動によって案内軸３２の横移動を制限する。ストッパ４３は案内軸３２の突出しとして形成されている。しかし、ストッパ４３は別に差し込まれた、或いはねじ込まれた部材として形成されることが出来る。
【００４０】
運搬分与箱１の自重によって或いは利用者の補助的力によって、これは、運搬分与箱１の裏面壁６が壁４４に設置できるまで案内軌道４２に沿ってかなり移動され、その裏面壁は空間壁或いは棚から自由に調整できる。
【００４１】
図９に図示された実施例によって、保持装置３６は異なる長さ及び／又は横断面の三つの運搬分与箱１のために用いられる。横断面に対応して、異なる運搬分与箱１の案内要素３３は種々の幅でそれぞれ案内スリット４１に入る。この場合に、保持装置３６はそれぞれに異なる高さに配置されている対の案内スリット４１を有する。
【００４２】
保持装置３６の別の実施態様は図１０に図示されている。この保持装置３６は水平断面におよそＵ字状に形成されている。保持装置３６は周辺に保持装置３６の固定が行われる継続した中央脚４５を有し、それぞれ少なくとも一つの案内スリット４１を有する。中央脚４５は設置面４６を有し、その設置面にて掛け渡し位置において運搬分与箱１の設置面４７がねじれなく支持されている。
【００４３】
図１１は軸線ｘの方向における視線を備える図９による実施態様の部分図を示す。壁４４に向いた裏面壁６はその設置面４７によって壁４４の設置面４６に全く平らに（或いは一部領域に）当接する。
【００４４】
図８から認識できるように、破断部３０は収納空間４８に連通し、その収納空間はスリーブ２２並びに突起３５により形成されている。周辺から収納空間４８へ且つこの収納空間からテープ１１とロール２１までの汚染粒子の移行は、突起３５とスリーブ２２の間の遊びによってのみ可能であり、それ故に、困難である。
【００４５】
図１２による保持装置３６の実施態様は、空間壁に固定する二つの基礎脚３９を有する。角αで配置された側面脚４０として、上面に案内軌道４２を形成する棚状保持体が用いられる。取り外し可能なストッパ４３をもつ案内軸３２のみが図示される。ストッパ４３の取り外し後に、案内軸３２は破断部３０或いは目印３１を通して運搬分与箱１とロールのスリーブ２２に貫通差し込まれて掛け渡される。その場合にねじられない端状態は、図９の実施例においても説明されたように、達成される。
【００４６】
取り外し可能なストッパ４３の代わりに、案内軸３２の両端にも一つづつの循環溝４９が設けられることができる。一つの循環溝４９で十分である。この実施態様は貫通差し込みを容易にし、ストッパ４３の取り外しを無用にする。
【図面の簡単な説明】
【００４７】
【図１】この発明の運搬分与箱の斜視図を示す。
【図２】使用状態における図１による運搬分与箱を示す。
【図３】運搬分与箱の分解された状態を半断面として示す。
【図４】運搬分与箱の設置部としての板状支持壁を示す。
【図５】上引出しをもつ図２のラインＶ−Ｖによる断面を示す。
【図６】図５と類似図であるけれども、下引出しをもつ。
【図７】図２のラインＶＩＩ−ＶＩＩによる断面を示し、補助的に案内軸が運搬分与箱内に導入されている。
【図８】受け面と保持装置に支持されている運搬分与箱内に挿入された案内軸とを備えるこの発明の運搬分与箱を通る縦断面を示す。
【図９】保持装置と異なる横断面の複数の運搬分与箱とを備える発明の装置を示す。
【図１０】この発明の別つの保持装置を示す。
【図１１】この発明の装置の側面図の一部分を示す。
【図１２】保持装置の別の実施態様を示す。
【図１３】図１２による保持装置の変更された案内軸の一端を示す。
【符号の説明】
【００４８】
１．．．．．運搬分与箱  
２．．．．．裁断片    
３．．．．．下床壁  
４．．．．．上床壁  
５．．．．．前面壁  
６．．．．．裏面壁  
７．．．．．端面壁  
８．．．．．端面壁  
９．．．．．ミシン目帯
１０．．．．．スリット  
１１．．．．．テープ
１２．．．．．消耗品  
１３．．．．．結合フラップ  
１４．．．．．結合フラップ  
１５．．．．．閉鎖フラップ  
１６．．．．．支持壁
１７．．．．．裁断部
１８．．．．．受け面
１９．．．．．突起
２０．．．．．打抜き部
２１．．．．．ロール
２２．．．．．スリーブ
２３．．．．．破断部
２４．．．．．支持壁
３０．．．．．破断部
３１．．．．．目印
３２．．．．．案内軸
３３．．．．．案内要素
３４．．．．．型部材
３５．．．．．突起
３６．．．．．保持装置
３７．．．．．アングル板
３８．．．．．アングル板
３９．．．．．基礎脚
４０．．．．．側面脚
４１．．．．．案内スリット
４２．．．．．案内軌道
４３．．．．．ストッパ
４４．．．．．壁
４５．．．．．中央脚
４６．．．．．設置面
４７．．．．．設置面
４８．．．．．収容空間
４９．．．．．溝
【図１】
2005289648.tif 000003
【図２】
2005289648.tif 000004
【図３】
2005289648.tif 000005
【図４】
2005289648.tif 000006
【図５】
2005289648.tif 000007
【図６】
2005289648.tif 000008
【図７】
2005289648.tif 000009
【図８】
2005289648.tif 000010
【図９】
2005289648.tif 000011
【図１０】
2005289648.tif 000012
【図１１】
2005289648.tif 000013
【図１２】
2005289648.tif 000014
【図１３】
2005289648.tif 000015